(57)【要約】      （修正有）【課題】従来あるレインコートとおくるみを合わせ、乳児から幼児まで使えるベビーカー用の防雨用、防寒用のおくるみを提供する。【解決手段】つなぎ服状のレインコートのつま先を伸ばし、前後の見ごろの先を結合し、先端両脇をマチで幅を持たせ、筒状にしたり、レインコートの裾にファスナーを付け、袋状にした先端の両脇にもマチを設ける。【選択図】図１
0003110848.tif 000002
【実用新案登録請求の範囲】
【請求項１】
従来あるベビーカーは頭上に雨、風を防ぐ装置を固定してあるが、本考案レインコートおくるみは身体全体を覆っており、各ベビーカーメーカーのどの機種にも着用し乗せるだけの簡単な雨具用の製品である。
素材生地は、ナイロン、ビニール等、防雨用の合成繊維を使用し、図１で示した通り、左足膝下より外側の足元を通り内股から右足元、右足外側の膝下まで、前後の身ごろを縫い合わせ、筒状にした防雨着で、強風時やベビーカーの走行中にめくれることがなく使用者の身体全部を覆い移動がスムーズに出来る。
足底部に厚みを持たせる為のマチを付け、マチを入れたことで、足元の幅が広くなり、身動きが束縛されず前後左右と自由に動きが出来る。
尚、ベビーカーの荷物入れに常備すれば急変な天候にもあわてずに済む。
【請求項２】
図２で示した通り本考案レインコートおくるみは何通りものファスナーにより乳児から幼児まで幅広く着用が出来、サイズのＬＬは足元のファスナー部分をカットすれば従来のレインコートとして５，６歳位まで使用でき、経済的な配慮がある。
【考案の詳細な説明】
【技術分野】
【０００１】本考案は従来ある各メーカーのベビーカーにレインコートおくるみを着用した使用者を乗せるだけの簡単な製品である。
【背景技術】
【０００２】帽子付きビニールつなぎ服（特開２００２−２０９０５）はあるが、本考案レインコートおくるみの試みは初めてである。
【考案の開示】
【考案が解決しようとする課題】
【０００３】従来のベビーカーは付属の防水、防寒用として使用者の頭上に覆いがあるだけの完全な防水防寒用とはほど遠く、使用者の運搬用がほとんどの目的である。本考案レインコートおくるみによって使用者の身体全体を包むことが出来る、乳幼児を対象としたベビーカー用の防雨着である。
【課題を解決するための手段】
【０００４】本考案、レインコートおくるみは従来あるレインコートの中央部、両左右脇、足元の４ヶ所にファスナーを付けた製品と、左足膝下から足元を通り内股から右足元、右外側膝下までの前後の身ごろを縫い合わせ筒状にした２種類の製品から成り立つ。
【考案の効果】
【０００５】図１の通り、ベビーカーの移動中に風でめくれるのを防ぎ、又、雨をも防ぐ。
図２の製品においては、足元のファスナー位置を切り取れば５，６歳位まで使用できる。
【考案を実施するための最良の形態】
【０００６】従来は各メーカーの、ベビーカーに形ばかりの防水、防寒用が付属しているだけですがレインコートおくるみの類似品はなく、本考案が最良の形態と思う。
【実施例】
【０００７】本考案のレインコートおくるみの類似品は市場に出ておらず、ベビーカー使用者に適した防風雨用の防着であり、従来あるどの機種のベビーカーにも着用した使用者を乗せるだけの便利な製品である。
【産業上の利用可能性】
【０００８】本考案は初めての試みであり企業として製品が生産されておらず、使用者が簡単に着用し、従来あるどの機種のベビーカーにも使用者を乗せるだけの便利な製品である。
【図面の簡単な説明】
【０００９】
【図１】  本考案のレインコートおくるみの平面図である。
【図２】  本考案のレインコートおくるみのファスナーの開閉位置を示すものである。
【図３】  本考案のレインコートおくるみのひもである。
【符号の説明】
【００１０】Ａ          ＡからＧまでは前後の身ごろを縫い合わせ筒状にした。
Ｂ
Ｃ
Ｄ
Ｅ
Ｆ
Ｇ
Ｈ          Ｈ．Ｉ．Ｊ．Ｋは両左右両脇のファスナーの位置である。
Ｉ
Ｊ
Ｋ
Ｌ          Ｌ．Ｍは前身ごろの首より股下近くまでの中央部のファスナーである。
Ｍ
Ｓ          Ｓは左右の足元の幅をもたせるためのマチの位置である。
Ｏ          Ｏ．Ｐは前身ごろ首より足元近くまでの中央ファスナーの位置である。
Ｐ
Ｑ          Ｑ．Ｒは足元の横幅である。
Ｒ
Ｔ          ひもである。
【図１】
0003110848.tif 000003
【図２】
0003110848.tif 000004
【図３】
0003110848.tif 000005
【手続補正書】
【提出日】平成16年11月9日(2004.11.9)
【手続補正１】
【補正対象書類名】実用新案登録請求の範囲
【補正対象項目名】全文
【補正方法】変更
【補正の内容】
【実用新案登録請求の範囲】
【請求項１】
つなぎ服をつま先まで伸ばし、前後の身ごろの先を結合し、先端両脇をマチで幅を持たせ、筒状にしたレインコートおくるみ。
【請求項２】
レインコートの裾にファスナーを付け、袋状にした先端の両脇にもマチを設けたレインコートおくるみ。
【手続補正２】
【補正対象書類名】明細書
【補正対象項目名】全文
【補正方法】変更
【補正の内容】
【考案の詳細な説明】
【技術分野】
【０００１】本考案はつなぎ服をつま先まで伸ばし、その先端を縫い合わせ筒状にした製品と市販されているレインコートを袋状にした製品から成り立つ。
【背景技術】
【０００２】帽子付きビニールつなぎ服（特開２００２−２０９０５）はあるが、本考案レインコートおくるみは、つなぎ服をつま先まで伸ばし、その先端をマチで幅を持たせ、脚の動きを自由自在にした製品とレインコートの裾にファスナーをつけ、袋状にした製品からなるベビーカー用の防雨着である。
【考案の開示】
【考案が解決しようとする課題】
【０００３】市販されているベビーカーは、付属の防水、防寒用として乳幼児の頭上に覆いがあるだけの完全な防水防寒用ではなく、乳幼児の運搬用がほとんどの目的であるが、本考案レインコートおくるみを乳幼児に着用させることによって身体全体を包むことが出来るベビーカー用防雨着である。
【課題を解決するための手段】
【０００４】本考案レインコートおくるみは、雨天でのベビーカー使用にも、衣服がぬれずにすむ防雨着であり、つなぎ服をつま先まで伸ばした製品の左足膝下から足元を通り内股から右足元、右外側膝下までの前後の身ごろを縫い合わせ筒状にし、着脱がスムーズにいくため衣服の中央部と両脇の３ヶ所にファスナーを設けた製品と、レインコートの中央部、裾の２ヶ所にファスナーを付けた製品の２種類から成り立つ。
【考案の効果】
【０００５】〔図１〕、〔図２〕の通り、ベビーカーの移動中に防雨着が風でめくれるのを防ぎ、雨泥の被害からも防ぐ。
〔図２〕の製品においては、足元のファスナー位置を切り取ればレインコートとして５，６歳位まで使用できる。
【考案を実施するための最良の形態】
【０００６】乳幼児に、〔図１〕と〔図２〕の２種類からなる防雨着を着用させて、ベビーカーに乗せるだけである。
【実施例】
【０００７】本考案のレインコートおくるみを着用した乳幼児を市販されているベビーカーに載せるだけの便利な製品である。
【産業上の利用可能性】
【０００８】本考案は初めての試みであり企業として生産されておらず、着用した乳幼児を、ベビーカーに乗せるだけの便利な製品であり、ベビーカーに常備すれば、急な天候にもあわてず対処できる。
【図面の簡単な説明】
【０００９】
【図１】  つなぎ服をつま先まで伸ばし、その先端を縫い合わせた正面図。
【図２】  レインコートの裾にファスナーを付け袋状にした正面図。
【図３】  紐。
【符号の説明】
【００１０】１      衣服
２      ファスナー
３      ファスナー
４      ファスナー
５      マチ
６      マチ
７      マチ
８      マチ
９      つま先の結合部
１０    つま先の結合部
１１    衣服
１２    ファスナー
１３    ファスナー
１４    マチ
１５    マチ
１６    紐
【手続補正３】
【補正対象書類名】図面
【補正対象項目名】全図
【補正方法】変更
【補正の内容】
【図１】
0003110848.tif 000006
【図２】
0003110848.tif 000007
【図３】
0003110848.tif 000008
【手続補正書】
【提出日】平成17年2月4日(2005.2.4)
【手続補正１】
【補正対象書類名】手続補正書
【補正対象項目名】手続補正４
【補正方法】削除
【補正の内容】